(57)【要約】  【課題】  同時に複数の放送の選局が可能であって受信品質の低下を抑えることができるチューナ装置を提供する。  【解決手段】  チューナ部ＴＵＮ１と、チューナ部ＴＵＮ２と、チューナ部ＴＵＮ１に信号を供給する入力端子Ｔ１と、入力端子Ｔ１に接続される外部機器（パラボラアンテナとＬＮＢから成る屋外ユニットのＬＮＢ）に電源電圧を供給するためのＬＮＢ電源ライン１とを備え、ＬＮＢ電源ライン１に接続されるトラップフィルタ１１をチューナ部ＴＵＮ１に設けることを特徴とするチューナ装置。【選択図】      図１
2006101256.tif 000002
【特許請求の範囲】
【請求項１】
第１のチューナ部と、第２のチューナ部と、前記第１のチューナ部に信号を供給する第１の入力端子と、前記第１の入力端子に接続される外部機器に電源電圧を供給するための電源ラインとを備え、前記電源ラインに接続されるトラップフィルタを前記第１のチューナ部に設けることを特徴とするチューナ装置。
【請求項２】
前記第１のチューナ部が、局部発振回路と、前記局部発振回路を制御する位相同期ループ回路とを備え、
前記トラップフィルタが、前記位相同期ループ回路の出力に基づく同調電圧に応じてトラップ周波数を可変する請求項１に記載のチューナ装置。
【請求項３】
前記トラップフィルタを複数備える請求項１又は請求項２に記載のチューナ装置。
【請求項４】
前記第２のチューナ部に信号を供給する第２の入力端子を備え、前記電源ラインと前記第２の入力端子−前記第２のチューナ部間の信号ラインとが立体交差する請求項１〜３のいずれかに記載のチューナ装置。
【請求項５】
請求項１〜４のいずれかに記載のチューナ装置を備えることを特徴とする受信装置。
【請求項６】
請求項５に記載の受信装置を備えることを特徴とする電気機器。
【発明の詳細な説明】
【技術分野】
【０００１】
本発明は、チューナ装置に関し、特に同時に複数の放送の選局が可能なチューナ装置に関する。
【背景技術】
【０００２】
チューナ装置は、チューナ部を１系統備えたものが主流である。例えば、ＢＳ(Broadcasting Satellite) デジタル放送、ＣＳ(Communication Satellite) デジタル放送等のデジタル放送を受信するためのデジタル放送受信用チューナ装置は、入力されたＲＦ(Radio Frequency)信号を互いに９０度の位相差を有する二つのベースバンド信号（Ｉ信号、Ｑ信号）にダイレクトコンバートするＩ／Ｑ復調回路を１系統備えたものが主流である。
【０００３】
ところで、近年、衛星放送やＣＡＴＶ(Community Antena Television又はCable Television)等の分野においては、デジタル放送が開始され、多くの放送衛星あるいは通信衛星が打ち上げられており、多数の番組が放送されている。このようなデジタル放送の進展に伴い、デジタル放送受信用機器の多機能化に関する視聴者の要求は今後さらに高まるものと考えられる。このような視聴者の要求を満たすために、例えば、ＨＤＤ（Hard Disk Drive：ハード磁気ディスク装置）を搭載し、受信しているデジタル放送をこのＨＤＤに記録保存したり、また裏番組を録画したりすることができるデジタル放送受信用レコーダや軌道位置の異なる複数の衛星からのデジタル放送を受信するデジタル放送受信用セットトップボックスが登場している。
【０００４】
上記デジタル放送受信用レコーダや上記デジタル放送受信用セットトップボックスは、上述した機能を確保するために、チューナ部を２系統備えているチューナ装置（例えば、特許文献１及び特許文献２参照）を内蔵する必要がある。
【０００５】
チューナ部を２系統備える従来のチューナ装置として、ここではチューナ部を２系統備える従来のデジタル放送受信用チューナ装置を例に挙げて説明する。チューナ部を２系統備える従来のデジタル放送受信用チューナ装置の回路ブロック図を図７に示す。
【０００６】
図７に示す従来のデジタル放送受信用チューナ装置は、軌道位置の異なる２つの衛星からのデジタル放送の同時選局を可能にするために、チューナ部ＴＵＮ４及びチューナ部ＴＵＮ２を有している。なお、チューナ部ＴＵＮ４及びチューナ部ＴＵＮ２は一つの筐体内部に収められている。
【０００７】
チューナ部ＴＵＮ４は、ハイパスフィルタ２と、ＲＦ増幅器３と、ＲＦアッテネータ４と、ＲＦ増幅器５と、Ｉ／Ｑ復調回路６とを備えている。そして、Ｉ／Ｑ復調回路６は、局部発振器７と、ローパスフィルタ８と、位相同期ループ回路（以下、「ＰＬＬ(Phase Lock Loop)回路」という）９と、Ｉ／Ｑ直交検波器１０とを備えている。また、ハイパスフィルタ２の入力端に入力端子Ｔ１と、ＬＮＢ(Low Noise Block down converter)電源ライン１を介してＬＮＢ電源端子Ｔ１３とが接続される。また、Ｉ／Ｑ直交検波器１０のＩ信号出力端にＩ信号出力端子Ｔ３が接続され、Ｉ／Ｑ直交検波器１０のＱ信号出力端にＱ信号出力端子Ｔ４が接続される。さらに、ＲＦ増幅器３の高圧側電源端子に電源端子Ｔ７が、ＲＦ増幅器５の高圧側電源端子に電源端子Ｔ８が、Ｉ／Ｑ復調回路６の高圧側電源端子に電源端子Ｔ９が、それぞれ接続される。なお、ＬＮＢ電源ライン１は、パラボラアンテナとＬＮＢから成り入力端子Ｔ１に接続される屋外ユニット（不図示）のＬＮＢに電源電圧を供給するために設けられる。
【０００８】
チューナ部ＴＵＮ２は、ハイパスフィルタ２’と、ＲＦ増幅器３’と、ＲＦアッテネータ４’と、ＲＦ増幅器５’と、Ｉ／Ｑ復調回路６’とを備えている。そして、Ｉ／Ｑ復調回路６’は、局部発振器７’と、ローパスフィルタ８’と、位相同期ループ回路（以下、「ＰＬＬ(Phase Lock Loop)回路」という）９’と、Ｉ／Ｑ直交検波器１０’とを備えている。また、ハイパスフィルタ２’の入力端に入力端子Ｔ２と、ＬＮＢ電源ライン１’を介してＬＮＢ電源端子Ｔ１４とが接続される。また、Ｉ／Ｑ直交検波器１０’のＩ信号出力端にＩ信号出力端子Ｔ５が接続され、Ｉ／Ｑ直交検波器１０’のＱ信号出力端にＱ信号出力端子Ｔ６が接続される。さらに、ＲＦ増幅器３’の高圧側電源端子に電源端子Ｔ１０が、ＲＦ増幅器５’の高圧側電源端子に電源端子Ｔ１１が、Ｉ／Ｑ復調回路６’の高圧側電源端子に電源端子Ｔ１２が、それぞれ接続される。なお、ＬＮＢ電源ライン１’は、パラボラアンテナとＬＮＢから成り入力端子Ｔ２に接続される屋外ユニット（不図示）のＬＮＢに電源電圧を供給するために設けられる。
【０００９】
チューナ部部ＴＵＮ４とチューナ部ＴＵＮ２とは同一の構成であるので、ここではチューナ部部ＴＵＮ４についてのみ説明する。入力端子Ｔ１から入力されたＲＦ信号は、ハイパスフィルタ２によって低域成分が除去され、ＲＦ増幅器３によって増幅され、ＲＦアッテネータ４によって減衰され、ＲＦ増幅器５によって増幅された後、Ｉ／Ｑ復調回路６に送出される。ここで、ＲＦアッテネータ４はＩ／Ｑ復調回路６に入力されるＲＦ信号レベルを最適化するように制御される。
【００１０】
Ｉ／Ｑ復調回路６では、Ｉ／Ｑ直交検波器１０がＲＦ増幅器５から出力される信号と局部発振器７から出力される局部発振信号とを混合することで、ＲＦ増幅器５から出力される信号を互いに９０度の位相差を有する二つのベースバンド信号（Ｉ信号、Ｑ信号）にダイレクトコンバートし、一方のベースバンド信号であるＩ信号をＩ信号出力端子Ｔ３に出力し、他方のベースバンド信号であるＱ信号をＱ信号出力端子Ｔ４に出力する。
【００１１】
ＰＬＬ回路９は、内部で発生させた基準信号と局部発振器７から出力される局部発振信号との位相差に応じた信号をローパスフィルタ８に出力する。ローパスフィルタ８は、ＰＬＬ回路９から出力される信号を直流電圧である同調電圧ＶＴに変換し、その同調電圧ＶＴを局部発振器７に出力する。局部発振器７は、ローパスフィルタ８から出力される同調電圧ＶＴに応じて局部発振信号の周波数を可変する。これにより受信希望ＲＦ信号の周波数と局部発振器７から出力される局部発振信号の周波数とが同一になる。
【００１２】
また、２系統の同一構成のチューナ部を有するチューナ装置においては、それぞれのチューナ部が受信するＲＦ信号やそれぞれの局部発振器から発振される局部発振信号がお互いに干渉し合うおそれがある。このようなチューナ部の相互干渉を防止するために、図７に示す従来のデジタル放送受信用チューナ装置では、チューナ部ＴＵＮ４とチューナ部ＴＵＮ２が筐体内部で仕切り板（不図示）にて分離されるとともに、チューナ部ＴＵＮ４の接地パターン（グランドＧＮＤ１）とチューナ部ＴＵＮ２の接地パターン（グランドＧＮＤ２）が分離されている。
【００１３】
また、図７に示す従来のデジタル放送受信用チューナ装置においては、チューナ部ＴＵＮ４とチューナ部ＴＵＮ２が同一の衛星からのＲＦ信号を入力することにより、チューナ部ＴＵＮ４及びＴＵＮ２が同一番組を選局したり、あるいは同一の衛星からの二つの放送番組をチューナ部ＴＵＮ４及びＴＵＮ２がそれぞれ一つずつ選局したりすることが可能となる。
【特許文献１】特開平９−８３４２１号公報
【特許文献２】特開２００３−１２５３０２号公報
【発明の開示】
【発明が解決しようとする課題】
【００１４】
一つの筐体に２系統のチューナ部を搭載する場合、各チューナ部の主電源として３．３Ｖや５Ｖの電圧が使用されることが多いが、上記主電源の電源ラインについては流れる電流容量が少ないため、上記主電源の電源ラインは０．２ｍｍ程度まで細くできる。したがって、上記主電源の電源ラインは相互に干渉しないように配線することが可能である。
【００１５】
一方、ＬＮＢ電源ラインについてはショートモードでの故障時には電流容量が多くなるため、パターン幅も太くする必要がある。例えば８００ｍＡの電流が流れる場合、ＬＮＢ電源ラインパターンの温度上昇を１０℃以下に抑えるためには、一般的によく使用されるパターンの銅箔厚０．０３５ｍｍとした場合、設計的には０．４ｍｍのパターン幅にすることが望ましい。また、雷サージ対策の観点からＬＮＢ電源ラインを短くする必要があるため、ＬＮＢ電源ライン１と入力端子Ｔ２−ハイパスフィルタ２’間の信号ラインとが立体交差するように配線する必要がある。
【００１６】
このため、図７に示す従来のデジタル放送受信用チューナ装置では、入力端子Ｔ１と入力端子Ｔ２に同一周波数のＲＦ信号が入力され且つ入力端子Ｔ１に入力されるＲＦ信号と入力端子Ｔ２に入力されるＲＦ信号の入力レベル差が大きい場合、強入力レベルのＲＦ信号が弱入力レベルのＲＦ信号を入力するチューナ部にＬＮＢ電源ライン１を介して漏れてしまう。そして、この漏れにより、強入力レベルのＲＦ信号が弱入力レベルのＲＦ信号に干渉し、弱入力レベルのＲＦ信号のＣ／Ｎ(Carrier to Noise ratio)が劣化し、受信品質が低下するという問題があった。
【００１７】
本発明は、上記の問題点に鑑み、同時に複数の放送の選局が可能であって受信品質の低下を抑えることができるチューナ装置並びにこれを備える受信装置及び電気機器を提供することを目的とする。
【課題を解決するための手段】
【００１８】
上記目的を達成するために本発明に係るチューナ装置は、第１のチューナ部と、第２のチューナ部と、前記第１のチューナ部に信号を供給する第１の入力端子と、前記第１の入力端子に接続される外部機器に電源電圧を供給するための電源ラインとを備え、前記電源ラインに接続されるトラップフィルタを前記第１のチューナ部に設ける構成とする。なお、前記第１のチューナ部の入力端子に入力されるＲＦ信号の周波数が、前記トラップフィルタの信号減衰域（前記トラップフィルタによって減衰させることができる信号の周波数領域）に含まれるように前記トラップフィルタのトラップ特性を定める。
【００１９】
このような構成によると、前記第１の入力端子と前記第２のチューナ部に信号を供給する入力端子に同一周波数のＲＦ信号が入力され且つ前記第１の入力端子に入力されるＲＦ信号と前記第２のチューナ部に信号を供給する入力端子に入力されるＲＦ信号の入力レベル差が大きい場合に前記電源ラインに輻射される或いは流入する信号を前記トラップフィルタが減衰させるので、弱入力レベルＲＦ信号のＣ／Ｎが劣化し、受信品質が低下することを防止することができる。
【００２０】
また、上記構成のチューナ装置において、前記第１のチューナ部が、局部発振回路と、前記局部発振回路を制御する位相同期ループ回路とを備え、前記トラップフィルタが、前記位相同期ループ回路の出力に基づく同調電圧に応じてトラップ周波数を可変するようにしてもよい。これにより、自動的に前記第１の入力端子に入力されるＲＦ信号の周波数が、前記トラップフィルタの信号減衰域（前記トラップフィルタによって減衰させることができる信号の周波数領域）に含まれるようになる。
【００２１】
また、上記各構成のチューナ装置において、前記トラップフィルタを複数設けてもよい。このような構成によると、前記第１の入力端子と前記第２のチューナ部に信号を供給する入力端子に同一周波数のＲＦ信号が入力され且つ前記第１の入力端子に入力されるＲＦ信号と前記第２のチューナ部に信号を供給する入力端子に入力されるＲＦ信号の入力レベル差が大きい場合に前記電源ラインに輻射される或いは流入する信号を前記複数のトラップフィルタから成るトラップフィルタ部が広範囲に渡って減衰させることができるので、弱入力レベルＲＦ信号のＣ／Ｎが劣化し、受信品質が低下することをより確実に防止することができる。
【００２２】
また、雷サージ対策の観点から前記電源ラインの長さを短くするために、上記各構成のチューナ装置において、前記第２のチューナ部に信号を供給する第２の入力端子を備え、前記電源ラインと前記第２の入力端子−前記第２のチューナ部間の信号ラインとが立体交差するようにしてもよい。
【００２３】
また、上記目的を達成するために、本発明に係る受信装置は上記いずれかの構成のチューナ装置を備え、本発明に係る電気機器は前記受信装置を備えるようにする。
【発明の効果】
【００２４】
本発明によると、同時に複数の放送の選局が可能であって受信品質の低下を抑えることができるチューナ装置並びにこれを備える受信装置及び電気機器を実現することができる。
【発明を実施するための最良の形態】
【００２５】
本発明の一実施形態について図面を参照して以下に説明する。本発明に係るチューナ装置として、ここではデジタル放送受信用チューナ装置を例に挙げて説明する。
【００２６】
まず、本発明の第一実施形態について説明する。本発明の第一実施形態に係るデジタル放送受信用チューナ装置の回路ブロック図を図１に示す。なお、図１において図７と同一の部分には同一の符号を付し詳細な説明を省略する。
【００２７】
図１に示す本発明の第一実施形態に係るデジタル放送受信用チューナ装置は、図７に示す従来のデジタル放送受信用チューナ装置のチューナ部ＴＵＮ４をチューナ部ＴＵＮ１に置換した構成である。したがって、チューナ部ＴＵＮ１及びチューナ部ＴＵＮ２は一つの筐体内部に収められている。また、チューナ部の相互干渉を防止するために、チューナ部ＴＵＮ１とチューナ部ＴＵＮ２が筐体内部で仕切り板（不図示）にて分離されるとともに、チューナ部ＴＵＮ１の接地パターン（グランドＧＮＤ１）とチューナ部ＴＵＮ２の接地パターン（グランドＧＮＤ２）が分離されている。また、雷サージ対策の観点からＬＮＢ電源ライン１の長さを短くするために、ＬＮＢ電源ライン１と入力端子Ｔ２−ハイパスフィルタ２’間の信号ラインとが立体交差するように配線されている。
【００２８】
図１に示す本発明の第一実施形態に係るデジタル放送受信用チューナ装置が具備しているチューナ部ＴＵＮ１は、図７に示す従来のデジタル放送受信用チューナ装置が具備しているチューナ部ＴＵＮ４にトラップフィルタ１１を新たに設けた構成である。
【００２９】
トラップフィルタ１１は、コイルＬ１と、コンデンサＣ１と、可変容量ダイオードＤ１と、抵抗Ｒ１とによって構成される。コイルＬ１の一端がＬＮＢ電源ライン１に接続され、コイルＬ１の他端がコンデンサＣ１の一端に接続される。コンデンサＣ１の他端は、抵抗Ｒ１を介してローパスフィルタ８の出力端に接続されるとともに、可変容量ダイオードＤ１のカソードに接続される。可変容量ダイオードＤ１のアノードはグランドＧＮＤ１に接続される。このような構成であるトラップフィルタ１１のトラップ特性は図２に示すようになる。
【００３０】
ローパスフィルタ８から出力される同調電圧ＶＴが抵抗Ｒ１を介して可変容量ダイオードＤ１のカソードに印加され可変容量ダイオードＤ１に逆バイアスがかかるので、可変容量ダイオードＤ１の容量値ひいてはトラップフィルタ１１のトラップ周波数ｆ0がローパスフィルタ８から出力される同調電圧ＶＴに応じて変化する。なお、トラップフィルタ１１のトラップ周波数ｆ0が入力端子Ｔ１に入力されるＲＦ信号の周波数と同一周波数帯になるように、トラップフィルタ１１を構成する各素子の回路定数を設定する。
【００３１】
図１に示す本発明に係るデジタル放送受信用チューナにおいて、例えば、図１に示す本発明に係るデジタル放送受信用チューナがいずれかの入力端子に入力されるＲＦ信号の送信元である衛星の受信可能限界地域に位置している場合や、パラボラアンテナとＬＮＢから成る屋外ユニット（不図示）と図１に示す本発明に係るデジタル放送受信用チューナの入力端子とを接続する同軸ケーブルの引回しにより、入力端子Ｔ１に入力されるＲＦ信号と入力端子Ｔ２に入力されるＲＦ信号の入力レベル差が生じる場合のように、入力端子Ｔ１と入力端子Ｔ２に同一周波数のＲＦ信号が入力され且つ入力端子Ｔ１に入力されるＲＦ信号と入力端子Ｔ２に入力されるＲＦ信号の入力レベル差が大きい場合がある。
【００３２】
通常デジタル放送受信用チューナ装置の入力端子に入力されるＲＦ信号の入力レベルは−２５ｄＢｍ〜−６５ｄＢｍで規定されている。ところが、例えば入力端子Ｔ１に周波数がｆRFである−６５ｄＢｍの弱入力レベルＲＦ信号が入力され、入力端子Ｔ２に周波数がｆRFである−２５ｄＢｍの強入力レベルＲＦ信号が入力されると、入力端子Ｔ２に入力された−２５ｄＢｍの強入力レベルＲＦ信号が、入力端子Ｔ２−ハイパスフィルタ２’間の信号ラインと立体交差しているＬＮＢ電源ライン１に輻射し、ＬＮＢ電源ライン１及びハイパスフィルタ２を介してＲＦ増幅器３に入力され、入力端子Ｔ１からハイパスフィルタ２を介してＲＦ増幅器３に入力される−６５ｄＢｍの弱入力レベルＲＦ信号と干渉するおそれがある。また、例えば入力端子Ｔ１に周波数がｆRFである−２５ｄＢｍの強入力レベルＲＦ信号が入力され、入力端子Ｔ２に周波数がｆRFである−６５ｄＢｍの弱入力レベルＲＦ信号が入力されると、入力端子Ｔ１に入力された−２５ｄＢｍの強入力レベルＲＦ信号が、ＬＮＢ電源ライン１に流入し、ＬＮＢ電源ライン１と立体交差している入力端子Ｔ２−ハイパスフィルタ２’間の信号ラインに輻射し、ハイパスフィルタ２’を介してＲＦ増幅器３’に入力され、入力端子Ｔ２からハイパスフィルタ２’を介してＲＦ増幅器３’に入力される−６５ｄＢｍの弱入力レベルＲＦ信号と干渉するおそれがある。
【００３３】
図７に示す従来のデジタル放送受信用チューナ装置では、例えば入力端子Ｔ１に周波数がｆRFである−６５ｄＢｍの弱入力レベルＲＦ信号が入力され、入力端子Ｔ２に周波数がｆRFである−２５ｄＢｍの強入力レベルＲＦ信号が入力された場合、図３に示すように、ＲＦ増幅器３に入力される−６５ｄＢｍの弱入力レベルＲＦ信号Ｓ１と入力端子Ｔ２に入力された−２５ｄＢｍの強入力レベルＲＦ信号に起因する漏れ信号Ｌ２とのレベル差Ｄ２が小さいため、入力端子Ｔ２に入力された−２５ｄＢｍの強入力レベルＲＦ信号に起因する漏れ信号Ｌ２が−６５ｄＢｍの弱入力レベルＲＦ信号Ｓ１に干渉し、−６５ｄＢｍの弱入力レベルＲＦ信号Ｓ１のＣ／Ｎが劣化し、受信品質が低下するという問題があった。
【００３４】
一方、図１に示す本発明の第一実施形態に係るデジタル放送受信用チューナ装置では、例えば入力端子Ｔ１に周波数がｆRFである−６５ｄＢｍの弱入力レベルＲＦ信号が入力され、入力端子Ｔ２に周波数がｆRFである−２５ｄＢｍの強入力レベルＲＦ信号が入力された場合、トラップフィルタ１１のトラップ周波数ｆ0がｆRFと一致するので、ＬＮＢ電源ライン１に輻射してきた−２５ｄＢｍの強入力レベルＲＦ信号に起因する漏れ信号を減衰させることができる。これにより、図４に示すように、ＲＦ増幅器３に入力される−６５ｄＢｍの弱入力レベルＲＦ信号Ｓ１と入力端子Ｔ２に入力された−２５ｄＢｍの強入力レベルＲＦ信号に起因する漏れ信号Ｌ１とのレベル差Ｄ１が大きくなり、入力端子Ｔ２に入力された−２５ｄＢｍの強入力レベルＲＦ信号に起因する漏れ信号Ｌ１が−６５ｄＢｍの弱入力レベルＲＦ信号Ｓ１に干渉し、−６５ｄＢｍの弱入力レベルＲＦ信号Ｓ１のＣ／Ｎが劣化し、受信品質が低下することを防止することができる。また、入力端子Ｔ１に周波数がｆRFである−２５ｄＢｍの強入力レベルＲＦ信号が入力され、入力端子Ｔ２に周波数がｆRFである−６５ｄＢｍの弱入力レベルＲＦ信号が入力される場合も、トラップフィルタ１１のトラップ周波数ｆ0がｆRFと一致するので、ＬＮＢ電源ライン１に流入してきた−２５ｄＢｍの強入力レベルＲＦ信号を減衰させることができる。これにより、入力端子Ｔ１に入力された−２５ｄＢｍの強入力レベルＲＦ信号に起因する漏れ信号が入力端子Ｔ２に入力された−６５ｄＢｍの弱入力レベルＲＦ信号に干渉し、−６５ｄＢｍの弱入力レベルＲＦ信号のＣ／Ｎが劣化し、受信品質が低下することを防止することができる。
【００３５】
次に、本発明の第二実施形態について説明する。本発明の第二実施形態に係るデジタル放送受信用チューナ装置の回路ブロック図を図５に示す。なお、図５において図１と同一の部分には同一の符号を付し詳細な説明を省略する。
【００３６】
図５に示す本発明の第二実施形態に係るデジタル放送受信用チューナ装置は、図１に示す本発明の第一実施形態に係るデジタル放送受信用チューナ装置のチューナ部ＴＵＮ１をチューナ部ＴＵＮ３に置換した構成である。したがって、チューナ部ＴＵＮ３及びチューナ部ＴＵＮ２は一つの筐体内部に収められている。また、チューナ部の相互干渉を防止するために、チューナ部ＴＵＮ３とチューナ部ＴＵＮ２が筐体内部で仕切り板（不図示）にて分離されるとともに、チューナ部ＴＵＮ３の接地パターン（グランドＧＮＤ１）とチューナ部ＴＵＮ２の接地パターン（グランドＧＮＤ２）が分離されている。また、雷サージ対策の観点からＬＮＢ電源ライン１の長さを短くするために、ＬＮＢ電源ライン１と入力端子Ｔ２−ハイパスフィルタ２’間の信号ラインとが立体交差するように配線されている。
【００３７】
図５に示す本発明の第二実施形態に係るデジタル放送受信用チューナ装置が具備しているチューナ部ＴＵＮ３は、図１に示す本発明の第一実施形態に係るデジタル放送受信用チューナ装置が具備しているチューナ部ＴＵＮ１にトラップフィルタ１２を新たに設けた構成である。したがって、チューナ部ＴＵＮ３は、二つのトラップフィルタ１１及び１２を備えている。
【００３８】
トラップフィルタ１２は、コイルＬ２と、コンデンサＣ２と、可変容量ダイオードＤ２と、抵抗Ｒ２とによって構成される。コイルＬ２の一端がＬＮＢ電源ライン１に接続され、コイルＬ２の他端がコンデンサＣ２の一端に接続される。コンデンサＣ２の他端は、抵抗Ｒ２を介してローパスフィルタ８の出力端に接続されるとともに、可変容量ダイオードＤ２のカソードに接続される。可変容量ダイオードＤ２のアノードはグランドＧＮＤ１に接続される。
【００３９】
ローパスフィルタ８から出力される同調電圧ＶＴが抵抗Ｒ２を介して可変容量ダイオードＤ２のカソードに印加され可変容量ダイオードＤ２に逆バイアスがかかるので、可変容量ダイオードＤ２の容量値ひいてはトラップフィルタ１２のトラップ周波数ｆ1がローパスフィルタ８から出力される同調電圧ＶＴに応じて変化する。なお、トラップフィルタ１２のトラップ周波数ｆ1が入力端子Ｔ１に入力されるＲＦ信号の周波数帯より僅かに大きくなるように、トラップフィルタ１２を構成する各素子の回路定数を設定する。また、第一実施形態とは異なり、トラップフィルタ１１のトラップ周波数ｆ0が入力端子Ｔ１に入力されるＲＦ信号の周波数帯より僅かに小さくなるように、トラップフィルタ１１を構成する各素子の回路定数を設定する。これにより、トラップフィルタ１１及び１２から成るトラップフィルタ部のトラップ特性は図６に示すようになる。
【００４０】
図５に示す本発明の第２実施形態に係るデジタル放送受信用チューナは、図１に示す本発明の第１実施形態に係るデジタル放送受信用チューナと同様の効果を奏するとともに、入力端子Ｔ１と入力端子Ｔ２に同一周波数のＲＦ信号が入力され且つ入力端子Ｔ１に入力されるＲＦ信号と入力端子Ｔ２に入力されるＲＦ信号の入力レベル差が大きい場合にＬＮＢ電源ライン１に輻射される或いは流入する信号をトラップフィルタ１１及び１２から成るから成るトラップフィルタ部が広範囲に渡って減衰させることができるので、弱入力レベルＲＦ信号のＣ／Ｎが劣化し、受信品質が低下することをより確実に防止することができる。
【００４１】
なお、本発明の第２実施形態では二つのトラップフィルタを設けているが、トラップフィルタを三つ以上設けても構わない。トラップフィルタの数量については目標とする特性と価格とを照らし合わせて適宜決定すればよい。
【００４２】
また、チューナ装置（例えばデジタル放送受信用チューナ装置）とそのチューナ装置の出力信号に基づいて復調信号を生成する復調部（例えばＱＰＳＫ(Quadrature Phase Shift Keying)復調部）とを有する受信装置に本発明に係るチューナ装置を適用することによって、同時に複数の放送の受信が可能であって受信品質の低下を抑えることができる受信装置を実現することができる。
【００４３】
さらに、受信装置を有する電気機器（例えば衛星放送受信用レコーダや衛星放送受信用セットトップボックスなど）に本発明に係る受信装置を適用することで、同時に複数の放送を受信して処理することが可能であるとともに信号のノイズやエラーを低減することができる電気機器を実現することができる。
【図面の簡単な説明】
【００４４】
【図１】は、本発明の第一実施形態に係るデジタル放送受信用チューナ装置の回路ブロック図である。
【図２】は、図１のデジタル放送受信用チューナ装置が具備するトラップフィルタのトラップ特性を示す図である。
【図３】は、図７のデジタル放送受信用チューナ装置が具備するＲＦ増幅器の入力信号波形を示す図である。
【図４】は、図１のデジタル放送受信用チューナ装置が具備するＲＦ増幅器の入力信号波形を示す図である。
【図５】は、本発明の第二実施形態に係るデジタル放送受信用チューナ装置の回路ブロック図である。
【図６】は、図５のデジタル放送受信用チューナ装置が具備する二つのトラップフィルタから成るトラップフィルタ部のトラップ特性を示す図である。
【図７】は、チューナ部を２系統備える従来のデジタル放送受信用チューナ装置の回路ブロック図である。
【符号の説明】
【００４５】
１、１’  ＬＮＢ電源ライン
２、２’  ハイパスフィルタ
３、３’  ＲＦ増幅器
４、４’  ＲＦアッテネータ
５、５’  ＲＦ増幅器
６、６’  Ｉ／Ｑ復調回路
７、７’  局部発振器
８、８’  ローパスフィルタ
９、９’  位相同期ループ回路（ＰＬＬ回路）
１０、１０’  Ｉ／Ｑ直交検波器
１１、１２  トラップフィルタ
Ｃ１、Ｃ２  コンデンサ
Ｄ１、Ｄ２  可変容量ダイオード
Ｌ１、Ｌ２  コイル
ＧＮＤ１、ＧＮＤ２  グランド
Ｒ１、Ｒ２  抵抗
Ｔ１、Ｔ２  入力端子
Ｔ３、Ｔ５  Ｉ信号出力端子
Ｔ４、Ｔ６  Ｑ信号出力端子
Ｔ７〜Ｔ１２  電源端子
Ｔ１３、Ｔ１４  ＬＮＢ電源端子
ＴＵＮ１〜ＴＵＮ４  チューナ部
【図１】
2006101256.tif 000003
【図２】
2006101256.tif 000004
【図３】
2006101256.tif 000005
【図４】
2006101256.tif 000006
【図５】
2006101256.tif 000007
【図６】
2006101256.tif 000008
【図７】
2006101256.tif 000009